(57)【要約】  本発明による開扉システムは、レバー（１０）と回転メンバ（１２）との間の接触エリアを通過して、この接触エリアに直交する第１の幾何学的直線と、第１の直線に平行で、レバー（１０）の回転軸を通る第２の幾何学的直線との間の距離が、開放リーフの開扉動作を通して、増加または減少の一定方向に変化するように構成されている。【選択図】図３
2013513050.tif 000002
【特許請求の範囲】
【請求項１】
車両開放リーフ（２２）のための開扉システム（２）であって、
−  軸（２４）の周りに回転可能なようにマウントされているレバー（１０）と、
−  前記レバーによって操作されるようになっている回転メンバ（１２）とを備え、
前記システムは、第１の幾何学的直線セグメントと第２の幾何学的直線セグメントとの間の距離が、前記開放リーフの開扉動作を通して、一定に増加または減少し、前記第１の幾何学的直線セグメントは、前記レバー（１０）と前記回転メンバ（１２）との間の接触エリアを通過し、前記接触エリアと直交しており、前記第２の幾何学的直線セグメントは、前記第１の直線セグメントに平行であり、前記レバー（１０）の回転軸を通過していることを特徴とするシステム。
【請求項２】
前記レバー（１０）および前記メンバ（１２）は、形状が合っており、開扉の際に、それらは、互いに平行な母線（ｇｅｎｅｒａｔｒｉｃｅｓ）を有する面（４６）を介して、互いに接触していることを特徴とする、請求項１に記載のシステム。
【請求項３】
前記メンバ（１２）は、支持機構（４０）とローラ（４２）とを備え、前記ローラ（４２）は、前記支持構造に関して回転可能なようにマウントされ、前記レバー（１０）の上を転がるようになっていることを特徴とする、請求項１または２の少なくともいずれか１項に記載のシステム。
【請求項４】
前記レバー（１０）は、ランプ（ｒａｍｐ）面（傾斜凹入面）（４６）を有し、前記接触エリアは、開扉の際に前記ランプ面（４６）に沿って移動し、前記ランプ面は、第１の幾何学的直線セグメントと第２の幾何学的直線セグメントとの間の前記距離が、前記開放リーフの前記開扉動作を通して、一定に増加または減少し、前記第１の幾何学的直線セグメントは、前記接触エリアを通過し、前記接触エリアと直交しており、前記第２の幾何学的直線セグメントは、前記第１の直線セグメントと平行であり、前記レバー（１０）の前記回転軸を通過しているようなプロファイルを有することを特徴とする、請求項１〜３の少なくともいずれか１項に記載のシステム。
【請求項５】
前記ランプ面（４６）は、開扉する際に、前記メンバ（１２）がセクションの上を移動するに従って曲率半径が減少する形状を有することを特徴とする、請求項４に記載のシステム。
【請求項６】
前記ランプ面（４６）は、楕円形状のプロファイルを有することを特徴とする、請求項４または５の少なくともいずれか１項に記載のシステム。
【請求項７】
前記ランプ面（４６）は、凹面形状のプロファイルを有することを特徴とする、請求項４〜６の少なくともいずれか１項に記載のシステム。
【請求項８】
前記ランプ面（４６）は、第１の幾何学的直線セグメントと第２の幾何学的直線セグメントとの間の前記距離が、前記開放リーフの前記開扉動作を通して実質的に線形の形で変化し、前記第１の幾何学的直線セグメントは、前記接触エリアを通過し、前記接触エリアに直交しており、前記第２の幾何学的直線セグメントは、前記第１の直線セグメントに平行であり、前記レバー（１０）の前記回転軸を通過しているように選択されたプロファイルを有することを特徴とする、請求項４〜７の少なくともいずれか１項に記載のシステム。
【請求項９】
ロック装置を備え、前記レバー（１０）は、前記ロック装置の中に配置されていることを特徴とする、請求項１〜８の少なくともいずれか１項に記載のシステム。
【請求項１０】
前記システムは、前記開放リーフを開扉するための把手を備え、前記レバー（１０）は、前記開放リーフを開扉するための前記把手の中に配置されていることを特徴とする、請求項１〜９の少なくともいずれか１項に記載のシステム。
【発明の詳細な説明】
【技術分野】
【０００１】
本発明は、車両開放リーフのロック装置に関する。
【背景技術】
【０００２】
車両開放リーフのロック装置は、通常は、多くのパーツを備えている。これらは、例えば、車両の内部から、または外部から開放リーフの開扉を可能にする機構である。これらの機構の中で、外部および内部の把手は、同一の中間レバーの回転を駆動することができ、この中間レバーは、ダミー爪を押圧し、ダミー爪は爪を駆動し、爪自身がボルトを解放し、ボルトが保持金具（キーパ）から解放されることにより、開放リーフを解放するようになっている。
【０００３】
開扉の操作の際に、ユーザは、把手のうちの１つを動かそうとして、力を加える。その力の強さは、非常に急速に増加し、その後、爪がボルトを解放し、ボルトが保持金具を解放すると、力はすぐに減少する。この力の変化の曲線は、スパイクのようであり、経験する感触はインパクトのようである。この上昇する強さの変化は、ユーザが、パーツをいくつかの数のデッドストロークを移動するように駆動し、その後、機構のリターンスプリングによって生ずる力を克服し、最後に、最も強い力を加えて、保持金具からボルトを解放した爪を解放しなければならないという事実によって説明される。しかしながら、このインパクトの感触は、それが通常であるとしても、あまり感じの良いものではない。
【先行技術文献】
【特許文献】
【０００４】
【特許文献１】欧州特許第１１５８１２４号明細書
【発明の概要】
【課題を解決するための手段】
【０００５】
本発明の目的は、ユーザが開放リーフを開扉するときの快適さを向上させることである。
【０００６】
この目的のために、本発明による車両開放リーフシステムは、
−  軸の周りに回転可能なようにマウントされたレバーと、
−  レバーによって操作されるようになっている回転メンバとを備えることを特徴とし、かつこのシステムでは、第１の幾何学的直線セグメントと、第２の幾何学的直線セグメントとの間の距離が、開放リーフの開扉の動作の間を通して、常に増加または減少するようになっている。第１の幾何学的直線セグメントは、レバーと回転メンバとの間の接触エリアを通過して、その接触エリアと直交している。また第２の幾何学的直線セグメントは、第１の直線セグメントと平行であり、レバーの回転軸を通過している。
【０００７】
回転メンバは、一定強度のモーメントで、その軸の周りに回転すると仮定すると、回転メンバが受ける力は、力を受ける点が、その軸から一定距離だけ離れたところにあるので、この力の強さは一定である。これらの条件下では、この力が加えられる接触エリアと、レバーの回転軸とを隔てている距離の増加によって、レバーの回転を駆動するモーメントは、開扉動作の間に、その強さが増加することとなる。ユーザが把手の上に働かせる力は、このモーメントに対応した強さを有する。すなわち、ユーザは、このモーメントを把手の上に感ずる。従って、ユーザは、レバーによって回転メンバを起動し続けるためには、力の強さを増加させなければならない。この力の増加は、ボルトが保持金具に対して移動を開始する前に生ずる。従って、ユーザは、上記で述べた従来技術と比較して、より迅速に力を増加させなければならない。そのため、この強さが増加する時間はより長くなる。働かせるべき最終的な力は、実質的には同じであるが、そこに行き着くまでの増加は、早期に行われる。従って、ユーザは、把手を操作する際に、スパイクまたはインパクトを経験しない。強さの増加は、より早期から始まり、より正常である。そのため、操作は、より快適になる。
【０００８】
レバーおよびメンバは、形状が合っていて、開扉の際に、それらは平行な母線（ｇｅｎｅｒａｔｒｉｃｅｓ）を有するプロファイル面を介して、互いに接触していることが望ましい。
【０００９】
従って、２つの要素の間の接触エリアを小さくすることができ、これにより、それらが互いに接触するときのインパクトは低減し、それらが相対的に運動している間の摩擦を低減させることができる。
【００１０】
メンバは、支持構造およびローラを備え、ローラは、支持構造に対して回転可能なようにマウントされ、レバーの上を転がって行くようになっていることが望ましい。
【００１１】
従って、２つの要素の間の接触には、転がり摩擦が生ずるだけであり、ユーザが開放リーフを開扉する時に加える力を低減させることができる。
【００１２】
更に本発明による装置は、次に示す特徴の中の少なくともいずれか１つを有することができる。
−  レバーは、傾斜ランプ面を有し、開扉の際には、その傾斜ランプ面に沿って接触エリアが移動する。
−  傾斜ランプ面は、曲面状をしている。
−  傾斜ランプ面は、開扉の際に、メンバがセクションの上を移動するに従って、曲率半径が減少する形状の面を有する。
−  傾斜ランプ面は、楕円形および／または凹面の形状をしている。
−  メンバは、ダミー爪を備えている。
−  駆動パーツの中の少なくとも１つは、回転可能にマウントされたレバーを備えている。
【００１３】
本発明の他の特徴および利点は、限定的でない例として示す、１つの実施形態の以下の記述から、また添付の図面を参照することにより明らかになると思う。
【図面の簡単な説明】
【００１４】
【図１】本発明の１つの実施形態におけるロック装置の一部の斜視図である。
【図２】図１のロック装置のパーツの運動学的チェーンを示す図である。
【図３】図１のロック装置の中間レバーおよびダミー爪の平面図であり、開扉操作の開始時における場合を示す図である。
【図４】図１のロック装置の中間レバーおよびダミー爪の平面図であり、開扉操作の終了時における場合を示す図である。
【図５】開扉操作の際にユーザによって加えられる力の変化を、把手のストロークの関数として表した一般的な曲線を示す図である。
【図６】レバーによってダミー爪を操作する際の力の変化を示す、図５と同様の図である。
【発明を実施するための形態】
【００１５】
図１および図２を参照して、本発明の１つの実施形態における自動車の開放リーフ２２に対するシステムを説明する。開放リーフは、例えば、ドアである。以下で参照するロック装置のいくつかのパーツは、標準的なタイプであり、従って、詳細な記述、および／または詳細な説明は行わない。ロック装置のいくつかの側面の詳細な説明に関しては、例えば、本出願人の名義による特許文献１を参照されたい。
【００１６】
このシステムは、次に示すメンバを備えている。これらのメンバは、次に記載する順序で、連続して動作し、開放リーフ開扉命令を伝達するようになっている。これにより、運動学的チェーンが形成される。
−  内部開扉把手４、
−  内部ケーブル６、
−  内部開扉レバー８、
−  中間開扉レバー１０、
−  ダミー爪１２、
−  爪１４、
−  ボルト１６、および
−  保持金具１８。
【００１７】
把手４は、開放リーフ２２のフレーム２０に対して回転可能なようにマウントされている。把手４は、ケーブル６を介して、内部開扉レバー８を起動し、内部開扉レバー８は、回転可能なようにマウントされている。内部開扉レバー８は、中間開扉レバー１０を起動し、中間開扉レバー１０もまた、フレーム２０に対して、軸２４の周りに回転可能なようにマウントされている。ダミー爪１２および爪１４は、フレーム２０に対して、同じ軸２６の周りに回転可能なようにマウントされている。これは、互いに相対運動である。軸２４および２６は、互いに空間的に離れて平行に設置されている。
【００１８】
このシステムはまた、次に示すメンバを備えている。これらのメンバは、次にリストした順序で、互いに連続して動作し、開放リーフ開扉命令を伝達するようになっている。これにより、運動学的チェーンが形成される。
−  外部把手３０、
−  外部ケーブル３２、
−  外部開扉レバー３４、および
−  クラッチレバー３６。
【００１９】
従って、外部把手３０は、外部ケーブル３２の一方の端に固定され、外部ケーブル３２の他方の端は、外部開扉レバー３４に固定されている。外部開扉レバー３４は、回転可能なようにマウントされ、クラッチレバー３６を操作することができる。クラッチ３８は、運動学的チェーンの中で、クラッチレバー３６と中間開扉レバー１０との間に配置されている。クラッチ３８は、クラッチレバー３６によって、中間開扉レバー１０を操作することできるクラッチ接続構成と、またはクラッチレバーが中間レバーを操作できないクラッチ解除構成との２つの構成をとることができる。
【００２０】
運動学的チェーンの一部分で、要素４〜８から出発する一方の枝と、要素３０〜３６から出発する他方の枝とは、互いに異なっており、また互いに無関係である。それらは、それぞれ無関係に、中間開扉レバー１０を操作して、爪１４を保持金具１８から分離することにより、保持金具１８を解放し、従って開放リーフを開扉することができる。外部把手３０を使用した操作を問題とする場合には、クラッチ３８は、クラッチ接続状態にあると考えることができる。
【００２１】
中間開扉レバー１０およびダミー爪１２のいくつかの側面を、図１、図３、および図４を参照して説明する。
【００２２】
ダミー爪１２は、支持機構４０およびローラ４２を備えている。ローラ４２は、軸２４と直交する平面内にある円形断面の円柱状の外面４３を有する。ローラは、支持機構４０の上にあって、軸４４の周りに回転可能なようにマウントされ、軸４４は、軸２４および２６と離れて、それらと平行に設けられている。
【００２３】
中間開扉レバー１０は、ローラ４２に対して、転がりランプ面を形成する形状をしたランプ、すなわち傾斜凹入面４６を有する。この面は、円柱形をした一般形状をしているが、その側面の断面形は円形ではない。この円柱形の面は、軸４４とローラ４２の外面４３の母線とに平行な母線を有している。傾斜凹入面４６は、曲線形状で凹面の形状を有し、楕円の一部分を形成している。開扉の際には、ローラは傾斜凹入面４６の上を移動し、傾斜凹入面４６は、ローラが移動する面の区間の上で、移動する方向に減少する曲率半径を有する。この様子を次に示す。
【００２４】
このロック装置は、次に示す様式で動作し、これには、ダミー爪および中間レバーが関わっている。
【００２５】
図５は、ユーザが開放リーフを開扉するために、把手４、３０のうちのいずれか１つの把手の上に加える力の強さの一般的な曲線を、把手のストロークの関数として示すものである。
【００２６】
曲線のセクション４８で示されている第１の部分において、ユーザは、把手の操作を開始し、中間開扉レバー１０の上流に位置するパーツを、デッドストロークを移動させた後に、接触させるために必要なパスに沿って把手を動かす。そしてメカニズム（特に、把手のメカニズム）の１つまたは複数のリターンスプリングを克服する。このセクションにわたって、力は増加する。このときに、中間開扉レバー１０はまだ動いていない。
【００２７】
スプリングによって生成される力が補償された後には、曲線の第２のセクション５０が開始される。セクション５０の間では、中間レバー１０の上流に位置する全てのパーツ、および現在の動作に関わる全てのパーツ、さらに中間開扉レバー１０も含めて移動する。中間開扉レバー１０は、ローラ４２に接触するまで移動する。このセクションは、ユーザにとっては、実質的に一定の力になる。
【００２８】
次のセクション５２は、中間開扉レバー１０がダミー爪１２を操作する動作の段階に対応している。ローラは、中間開扉レバー１０の上を転がるので、このレバー１０によってダミー爪に加えられる力は、本質的に、接触面の接線に垂直な成分にまで減少する。この動作の初期においては、図３に示すように、ローラ４２とランプ、すなわち傾斜凹入面４６との間の接触エリアは、軸２４からｄ１の距離に位置する（近似的に１０ｍｍ）。この距離は、ローラと接触している場所での凹入面４６の接線方向で測定した値である。
【００２９】
この距離ｄ１は、第１の幾何学的直線セグメントと、第２の幾何学的直線セグメントとの間の距離を測定した値である。第１の幾何学的直線セグメントは、接触エリアを通過し、その面に垂直な直線であり、第２の幾何学的直線セグメントは、第１の直線セグメントと平行であり、この場合には、レバーの回転軸を通っている。以下で分かるように、この距離は、開放リーフが開扉すると増加する。
【００３０】
この距離ｄ１は、ローラとレバーとの間の反作用の力の軸から、レバーの軸２４に対して横方向に測定した距離である。
【００３１】
ローラ４２は、図４に示す位置まで、傾斜凹入面４６の上を転がって行く。図４に示す位置では、ローラと中間開扉レバー１０との間の接触エリアは、軸２４からｄ２の距離にあり、この距離は、以前と同じ様式で測定して、距離ｄ１よりも大きな値（例えば、近似的に１４ｍｍ）である。
【００３２】
ローラは、中間開扉レバー１０の上を転がるので、このレバー１０によってダミー爪に加えられる力は、本質的に、接触面の接線に垂直な成分にまで減少する。図４に示すように、ローラ４２と傾斜凹入面４６との間の接触エリアは、軸２４から距離ｄ２（近似的に１４ｍｍ）のところに位置している。この距離ｄ２は、ローラに接触した場所で、傾斜凹入面４６の接線方向に測定した値である。
【００３３】
この距離ｄ２は、第１の幾何学的直線セグメントと、第２の幾何学的直線セグメントとの間で測定された値である。第１の幾何学的直線セグメントは、接触エリアを通過し、その接触エリアと直交する直線であり、第２の幾何学的直線セグメントは、第１の直線セグメントと平行であり、この場合には、レバーの軸２４を通っている。この距離ｄ２もまた、開放リーフの開扉動作の全工程を通して増加する。
【００３４】
従って、ユーザは、把手を手動で駆動している間ずっと、増加する抵抗を把手の上に感ずるので、把手の感触は改善される。
【００３５】
このような改善された「感触」は、特に、前後方向に揺れ動くことがないことに起因する。前後方向の揺れは、開扉動作の際に、ユーザに対して不適切な機械的な動きの感触を与える。
【００３６】
別の実施形態においては、傾斜凹入面４６を、傾斜による開扉動作の全行程を通して、レバーアームが減少するような形状に合わせている。従って、ユーザが動作に対して経験する抵抗は、前後方向に連続して揺れ動くことがない。
【００３７】
このような減少する抵抗は、上記で説明した場合と同じ様式で測定して、特に、レバーアームが減少するようになっている曲線を有する凸面形状の傾斜凹入面４６でも得ることができる。
【００３８】
この様式で測定した距離ｄ２もまた、以前と同様に、ローラとレバーとの間の反作用の力の軸からレバーの軸２４に対する横方向の距離である。
【００３９】
ダミー爪がその軸２６の周りを回転するように、中間開扉レバー１０によって加えられる力の強さが一定であると仮定すると、この力が生ずるようにレバーの上に働くモーメント（ケーブル６または中間開扉レバー３４の上の引っ張り力による）は、図１の位置と比較して、図４の位置の方がより大きな値になる。従って、ユーザは、セクション５２を通して、力の強さを増して把手を駆動しなければならず、これにより感触が改善される。この場合には、セクション５２における中間開扉レバー１０の動きは、ローラ４２が軸２４および２６の間を通るように、ローラ４２に荷重をかけるようにしているということが分かる。
【００４０】
図４の位置に到達すると、ボルトは保持金具から解放され、これにより、最後のセクション５４において、力の強さは下降する。
【００４１】
図６は、曲線５６と直線セグメント５８とを示している。曲線５６は、セクション５２に対応した実験的な測定から得られた曲線であり、直線セグメント５８は、一般的な傾向を示している。この直線セグメントは、水平軸に対して僅かに傾いており、これは、力の増加は、この段階の間では、比較的ゆっくりしているということを意味している。
【００４２】
直線セグメント５８は、距離ｄ（前にｄ１およびｄ２で示した距離）が、ロック装置を開放する動作の工程で、実質的に線形に増加することに対応している。このような線形の変化は、本実施形態による傾斜凹入面４６の形状によって得られるものである。
【００４３】
試行錯誤または幾何学的算出によって、他の形状を採用し、距離ｄに関する異なる変化曲線を求めて、エンドユーザが要求する感触を提供することもできる。
【００４４】
クラッチよって中間レバーの操作ができるとすれば、内部把手または外部把手によって操作が命令されるいずれの場合に対しても、同じタイプの動作が行われることは言うまでもない。
【００４５】
上記したところにより、中間開扉レバー１０の傾斜凹入面４６の形状が、ユーザが働かせる開扉力の強さの変化の流れの主要部分を決定しているということが分かる。従って、この形状は、要求される強さ変化の関数に適合させることができる。本発明は、このための１つの解決策を提供するものであり、簡単で、かつ比較的に安価で、また容易に実現することができる。
【００４６】
本発明に対して、多くの変形を加えることができることは言うまでもなく、それらは本発明の範囲を越えるものではない。
【００４７】
以上、傾斜凹入面４６がロック装置の内部に設けられている実施形態について説明してきた。しかし、本発明におけるランプ（傾斜凹入面）は、例えば、開放リーフを開扉するための内部または外部把手の中等の、開放リーフを開扉するためのシステムの別のパーツの構成要素に設けることもできる。
【符号の説明】
【００４８】
２  開扉システム（ロック装置）
４  内部開扉把手
６  内部ケーブル
８  内部開扉レバー
１０  中間開扉レバー
１２  ダミー爪
１４  爪
１６  ボルト
１８  保持金具
２０  フレーム
２２  開放リーフ
２４、２６  軸
３０  外部把手
３２  外部ケーブル
３４  外部開扉レバー
３６  クラッチレバー
３８  クラッチ
４０  支持機構
４２  ローラ
４３  外面
４４  軸
４６  傾斜凹入面
４８  セクション
５０  セクション
５２  セクション
５４  セクション
５６  セクション５２に対応した実測曲線
５８  直線セグメント
【図１】
2013513050.tif 000003
【図２】
2013513050.tif 000004
【図３】
2013513050.tif 000005
【図４】
2013513050.tif 000006
【図５】
2013513050.tif 000007
【図６】
2013513050.tif 000008
【国際調査報告】
2013513050.tif 000009
2013513050.tif 000010
2013513050.tif 000011
2013513050.tif 000012